(57)【特許請求の範囲】
【請求項１】
端部保護材(1)と防水工(2)を包含し、
該端部保護材(1)は床版(3)と壁高欄(4)の打継ぎ目(5)の路面(6)側の境界部分(7)に配設されるもので、互いに角度をなして張出する底版部(8)と立上げ部(9)を一体に有し、
該底版部(8)は該床版(3)上に両者の上面が面一となって位置し、
該立上げ部(9)は該壁高欄(4)の内壁面(10)に形成された凹所(11)に該壁高欄(4)と一体となって収まっており、
該防水工(2)は、該路面(6)の路幅方向の端部(12)が該底版部(8)を覆い、該端部(12)に続く施工部(13)は該立上げ部(9)の内側面(14)に添着されている
ことを特徴とする床版防水工の施工部の保護構造。
【請求項２】
該端部保護材(1)は非発錆性素材で構成されている請求項１に記載の床版防水工の施工部の保護構造。
【請求項３】
該底版部(8)は底面(21)に定着用部材(22)を備えている請求項１又は２に記載の床版防水工の施工部の保護構造。
【請求項４】
該底版部(8)は張出端に、該立上げ部(9)側と反対側へ突き出た、該床版(3)と係合する凸条(23)を備えている請求項１、２又は３に記載の床版防水工の施工部の保護構造。
【請求項５】
該立上げ部(9)は背面(31)に定着用部材(32)を備えている請求項１、２、３又は４に記載の床版防水工の施工部の保護構造。
【請求項６】
該立上げ部(9)は上端の該背面(31)に、該壁高欄(4)と係合する凸条(33)を備えている請求項１から５の一つの項に記載の床版防水工の施工部の保護構造。
【請求項７】
該立上げ部(9)は上端に該内側面(14)側へ突き出た庇(34)を備えている請求項１から６の一つの項に記載の床版防水工の施工部の保護構造。
【請求項８】
該庇(34)は上面に該路面(6)方向へ下る勾配部(35)を備えている請求項７に記載の床版防水工の施工部の保護構造。
【請求項９】
該端部保護材(1)は、自身の横断面外形に密接に嵌合する横断面内形を有する接続部材(41)をその長手方向の端部に介在させて、長手方向に延設自在となっている請求項１から８の一つの項に記載の床版防水工の施工部の保護構造。
【請求項１０】
互いに角度をなして張出する底版部(8)と立上げ部(9)を一体に有する端部保護材(1)を、床版(3)と壁高欄(4)の打継ぎ目(5)の路面(6)側の境界部分(7)に、該底版部(8)を該床版(3)上に両者の上面を面一として、また該立上げ部(9)を該壁高欄(4)の位置内にそれぞれ配置して、設置し、
路肩端部(51)に型枠(52)を、該立上げ部(9)の内側面(14)との間に空隙(53)を保って配置し、
該型枠(52)内にコンクリート(54)を打設して該壁高欄(4)を形成し、
該型枠(52)を外して防水工(2)を該底版部(8)の上面と該立上げ部(9)の該内側面(14)に渡設する
ことを特徴とする床版防水工の施工部の保護構造の構築法。
【請求項１１】
端部保護材(1)と防水工(2)を包含し、
該端部保護材(1)は床版(3)と壁高欄(4)の打継ぎ目(5)の路面(6)側の境界部分(7)に配設されるもので互いに角度をなして張出する底版部(8)と立上げ部(9)を一体に有し、
該底版部(8)は該床版(3)上に位置し、
該立上げ部(9)は上端に路面(6)側へ突き出た庇(34)を備え、背面(31)で該壁高欄(4)の内壁面(10)に添設されており、
該防水工(2)は、該路面(6)の路幅方向の端部(12)が該底版部(8)を覆い、該端部(12)に続く施工部(13)が該立上げ部(9)の内側面(14)に添設されて、その上端部が該庇(34)で庇護されている
ことを特徴とする床版防水工の施工部の保護構造。
【請求項１２】
該端部保護材(1)は非発錆性素材で構成されている請求項１１に記載の床版防水工の施工部の保護構造。
【請求項１３】
該底版部(8)は張出端に該床版(3)に形成される係合溝(61)と係合する凸条(23)を備えている請求項１１又は１２に記載の床版防水工の施工部の保護構造。
【請求項１４】
該立上げ部(9)は該背面(31)の上端に該壁高欄(4)に形成される係合溝(62)と係合する凸条(33)を備えている請求項１１、１２又は１３に記載の床版防水工の施工部の保護構造。
【請求項１５】
該庇(34)は上面に該路面(6)方向へ下りの勾配部(35)を備えている請求項１１、１２、１３又は１４に記載の床版防水工の施工部の保護構造。
【請求項１６】
該端部保護材(1)は、自身の横断面外形に密接に嵌合する横断面内形を有する接続部材(41)をその長手方向の端部に介在させて、長手方向に延設自在となっている請求項１１から１５の一つの項に記載の床版防水工の施工部の保護構造。
【請求項１７】
互いに角度をなして張出する底版部(8)と立上げ部(9)を一体に有しかつ該立上げ部(9)の上端に路面(6)側へ突き出た庇(34)を備えた端部保護材(1)を、床版(3)と壁高欄(4)の打継ぎ目(5)の路面(6)側の境界部分(7)に、該底版部(8)を該床版(3)上に、また該立上げ部(9)を該壁高欄(4)の内壁面(10)と対向させて、設置し、
防水工(2)を該底版部(8)の上面と該立上げ部(9)の内側面(14)に渡設する
ことを特徴とする床版防水工の施工部の保護構造の構築法。
【発明の詳細な説明】
【技術分野】
【０００１】
本発明は床版防水工の壁高欄等の施工部の保護構造及びその構築方法に関し、防水工を壁高欄、地覆若しくは縁石（以下「壁高欄等」という。）に沿って施した施工部が、壁高欄等が新設であると既設であるとに係わらず舗装等の作業機械によって損傷するのを防ぐようにするとともに、該施工部が劣化・剥離しても雨水が防水工とコンクリート面との間から浸入することを防止しようとするものである。
【背景技術】
【０００２】
防水工は床版の上面から壁高欄等の側面に連続して施工され、該床版と壁高欄等との境界部分からの水漏れを防ぐようにしている。この壁高欄等の側面の施工部は紫外線等の影響により劣化しにくい物性のものか、もしくは劣化しないように保護材で覆うことになっている。この紫外線により劣化しにくい防水工や、該施工部の保護材は塗料等の被膜が一般的で、該施工部に対して舗装機械等が外部から加える衝撃に耐えるほどの強度は有していない。
【０００３】
床版と壁高欄の打継ぎ目を通って起きる漏水を防ぐことに関しては、打継ぎ目の途中に止水板を介在させる構造が本件出願人の一部が関与した橋梁においても施工された事実があり、打継ぎ目の外端を遮断する技術が特開２００３−２３２００５号公報（特許文献１）に開示されている。
また、補強用の鋼板製側板の端部の発錆を防ぐため、床版と壁高欄の打継ぎ目の外端を覆うように設けた鋼板製側板の端部にＵ字形状の防錆用カバーを嵌め込むようにした技術が特開２０１０−０４７９０８号公報（特許文献２）に開示されている。
【先行技術文献】
【特許文献】
【０００４】
【特許文献１】特開２００３−２３２００５号公報
【特許文献２】特開２０１０−０４７９０８号公報
【発明の概要】
【発明が解決しようとする課題】
【０００５】
特許文献１に開示されている発明は、継ぎ目なし伸縮継手部における床版上の滞留水を排水するための技術に関し、防水プレート１の端部を床版幅員両側の縁石１２に沿って立上げている（段落００２６、図５）が、この立上げ部分は幅員内に露出しているので、基層１４や排水性舗装１５の施工時に舗装用機械が接触して損傷を受ける恐れが解消されていない。また、この立ち上げ部の上端は直接雨水に曝されるため、立ち上げ部の劣化・剥離によりコンクリート面との間に隙間が発生し、そこから雨水の侵入が起こることがある。
【０００６】
また、特許文献２の図１には、合成床版と地覆コンクリートの打継ぎ目の外端が側板によって閉塞されている構造が開示されている。この構造では合成床版上面に溜まった水が打継ぎ目に浸入するのを許容しており、合成床版や地覆部のコンクリートの劣化や配筋の発錆を防げない。
【課題を解決するための手段】
【０００７】
(請求項１) 本発明にかかる床版防水工の壁高欄等の施工部の保護構造は、端部保護材と防水工を包含している。該端部保護材は床版と壁高欄等の打継ぎ目の路面側の境界部分に配設されるもので、互いに角度をなして張出する底版部と立上げ部を一体に有する。該底版部は該床版上に両者の上面が面一となって位置している。該立上げ部は該壁高欄等の内壁面に形成された凹所に該壁高欄等と一体となって収まっている。そして、該防水工は、該路面の路幅方向の端部が該底版部を覆い、該端部に続く部分は該立上げ部の内側面を覆う施工部となっている。
【０００８】
該端部保護材は底版部と立上げ部が一体でかつ互いに角度をなして張出しており、これを床版と壁高欄等の打継ぎ目の境界部分に、該底版部を該床版の上面に面一に配置しかつ該立上げ部を壁高欄等の路面側の凹所に収容して、配置する。該端部保護材は接着材、鋲、釘等の固定手段で床版や壁高欄等と一体化される。このように、防水工の施工後は施工部が壁高欄等の路面側の凹所に収容されているので、舗装作業に使用する舗装機械が該壁高欄等の内壁面と接触することはあっても該施工部と接触することはなく、該施工部が損傷することはない。
【０００９】
また、該端部保護材の底版部と立上げ部は一体なので、床版と壁高欄等の打継ぎ目は該防水工や該端部保護材によって完全に遮断され、舗装路面上を流れ、又は舗装内を浸透して床版上面を流れてきた水が該打継ぎ目に浸透することはない。
壁高欄等を伝わってくる雨水は路肩端部の凹部上面部から落下するため、端部保護材と防水工上端部が雨水に曝されることがないことから、防水工が劣化・剥離を生じても端部保護材との間に雨水が侵入することはない。
【００１０】
(請求項２) 該端部保護材は非発錆性素材で構成されていてもよい。  
こうすると、該端部保護材は雨水に濡れても錆びないので、長期にわたって供用できる。
【００１１】
（請求項３）該底版部は底面に定着用部材を備えていてもよい。  
こうすると、該定着用部材がコンクリート中に埋設されることにより、該端部保護材は安定して該境界部分に設置され、位置ずれしたりすることがない。
【００１２】
（請求項４）該底版部は張出端に、該立上げ部側と反対側へ突き出た、該床版と係合する凸条を備えていてもよい。該凸条は該張出端部を折り曲げて形成しても、別体ものを溶接等で一体化してもよい。
こうすると、コンクリートの固化前に該凸条をコンクリート中に差し込んでおけば、その固化により、該床版上で該端部保護材がずれるのを防止できる。
【００１３】
（請求項５）該立上げ部は背面に定着用部材を備えていてもよい。
こうすると、該定着用部材が該壁高欄等の内壁面を形成するコンクリートに埋設された状態となるので、該立上げ部が該壁高欄等と一体化し、該端部保護材が該内壁面からずれ出るのを防止できる。
【００１４】
（請求項６）該立上げ部は上端の該背面に、該壁高欄等と係合する凸条を備えていてもよい。
こうすると、該凸条が該壁高欄等のコンクリート中に喰い込んだ状態となるので、該立上げ部が該壁高欄等と一体化し、該端部保護材が該内壁面からずれ出るのを防げる。
【００１５】
（請求項７）該立上げ部は張出端に該内側面側へ突き出た庇を備えていてもよい。
こうすると、該防水工の施工部の上端が該庇によって覆われるので、該壁高欄等の表面を流下してきた雨水が該立上げ部と該壁高欄等の対向面間に流入することがなく、該立上げ部と該壁高欄等の一体化を損なうことがない。
【００１６】
（請求項８）該庇は上面に該路面方向へ下る勾配部を備えていてもよい。
こうすると、該壁高欄等の表面を流下してきた雨水が該庇上に流下しても勾配部により路面方向へ導かれ、該立上げ部と該施工部間に流入することがなく、該立上げ部と該施工部の一体化を損なうことがない。
【００１７】
（請求項９）該端部保護材は、自身の横断面外形に密接に嵌合する横断面内形を有する接続部材をその長手方向の端部に介在させて、長手方向に延設自在となっていてもよい。
こうすると、製造上の制約であまり長尺にできない該端部保護材を、接続部材で繋げることにより長手方向に延設できる。
【００１８】
（請求項１０）本発明に係る床版防水工の施工部の保護構造の構築法は、互いに角度をなして張出する底版部と立上げ部を一体に有する端部保護材を、床版と壁高欄等の打継ぎ目の路面側の境界部分に、該底版部を該床版上に両者の上面を面一として、また該立上げ部を該壁高欄等の位置内にそれぞれ配置して、設置する。路肩端部に型枠を該立上げ部の内側面との間に空隙を保って配置する。該型枠内にコンクリートを打設して該壁高欄等を形成する。そして、該型枠を外して防水工を該底版部の上面と該立上げ部の表面に渡設する。
この構築法を採用することにより、防水工の壁高欄等の施工部の内側面は壁高欄等の内壁面より該壁高欄等の内部へ潜った位置にあるので、舗装機械等は該内壁面に触れても施工部の内側面に直接触れることはなく、損傷から保護される。
【００１９】
（請求項１１）本発明に係る床版防水工の壁高欄等の施工部の保護構造の別の態様は次の通りである。即ち、端部保護材と防水工を包含している。該端部保護材は床版と壁高欄等の打継ぎ目の路面側の境界部分に配設されるもので互いに角度をなして張出する底版部と立上げ部を一体に有する。該底版部は該床版上に位置し、該立上げ部は上端に該路面側へ突き出た庇を備え、背面で該壁高欄等の内壁面に添設されている。そして、該防水工は、該路面の路幅方向の端部が該底版部を覆い、該端部に続く部分は該立上げ部の内側面に添設された施工部となり、その上端部が該庇で庇護されている。
【００２０】
この発明は、既設の壁高欄等を備えた橋梁に適用するのが、望ましい。壁高欄等に凹所を設けるのは新設の場合のように容易でないので、端部保護材の立上げ部は背面が既設の壁高欄等の内壁面と相対することになる。この状態では、防水工の施工部の路面側の面は壁高欄等の内壁面より路面側に位置するので、立上げ部には施工部の路面側の面より路面側に突き出た庇が必要となる。この端部保護材は底版部が床版上面と、立上げ部が壁高欄等の内壁面と、それぞれ接着等によって一体化され、該境界部分に配設される。この状態で庇が施工部の上端を被覆し、舗装機械等による衝撃をこの庇の張出し端で受けて施工部を保護する。
【００２１】
（請求項１２）該端部保護材は非発錆性素材で構成されていてもよい。
こうすると、該端部保護材は雨水に濡れても錆びないので、長期にわたって供用できる。
【００２２】
（請求項１３）該底版部は張出端に該床版に形成される係合溝と係合する凸条を備えていてもよい。
こうすると、床版コンクリートに該凸条の係合溝を削成し、該係合溝にモルタル等の接着材を入れて該凸条を嵌合させ、該接着材を固化させることにより、該床版上で該端部保護材がずれるのを防止できる。
【００２３】
（請求項１４）該立上げ部は上端に該壁高欄等に形成される係合溝と係合する凸条を備えていてもよい。
こうすると、該凸条と該係合溝との係合により、該立上げ部が該壁高欄等の内壁面から外れて該端部保護材が路面方向へずれ出すことがない。
【００２４】
（請求項１５）該庇は上面に該路面方向へ下りの勾配部を備えていてもよい。
こうすると、壁高欄等の表面を流下してきた雨水が該庇上に流れ落ちても、該勾配部により路面方向へ導かれ、該立上げ部と該壁高欄等の内壁面間には流れ込まないので、該壁高欄等や床版の劣化を引き起こすことがない。
【００２５】
（請求項１６）該端部保護材は、自身の横断面外形に密接に嵌合する横断面内形を有する接続部材をその長手方向の端部に介在させて、長手方向に延設自在となっていてもよい。
こうすると、製造上の制約であまり長尺にできない該端部保護材を、接続部材をその長手方向の端部に介在させて繋げることにより、長手方向に延設できる。
【００２６】
（請求項１７）本発明に係る床版防水工の施工部の保護構造の構築法の別の態様は次の通りである。即ち、互いに角度をなして張出する底版部と立上げ部を一体に有しかつ該立上げ部の上端に路面側へ突き出た庇を備えた端部保護材を、床版と壁高欄等の打継ぎ目の路面側の境界部分に、該底版部を該床版上に、また該立上げ部を該壁高欄等の内壁面と対向させて、設置する。そして、防水工を該底版部の上面と該立上げ部の内側面に渡設する。
【００２７】
この構築法によると、既設の壁高欄等の内壁面に凹所を削成するという面倒な作業は必要なく、壁高欄等の表面を流下する雨水は庇により立上げ部の背面と壁高欄等の内壁面間に滲入するのを阻止されるので、壁高欄等や床版の損壊を未然に防止できる。
【発明の効果】
【００２８】
本発明に係る床版防水工の壁高欄等の施工部の保護構造によれば、防水工の施工後は施工部が壁高欄等の路面側の凹所に収容されているので、舗装作業に使用する舗装機械が該壁高欄等の内壁面と接触することはあっても該施工部と接触することはなく、該施工部が損傷することはない。また、該端部保護材の底版部と立上げ部は一体なので、床版と壁高欄等の打継ぎ目は該端部保護材によって完全に遮断され、表層上を流れ、又は表層から基層内を浸透して床版上面を流れてきた水が該打継ぎ目に浸透することはない。
【００２９】
請求項２によれば、端部保護材が錆びる心配がないので、長期にわたって供用できる。
【００３０】
請求項３によれば、該底版部の底面の定着用部材がコンクリート中に埋設されることにより、該端部保護材は安定して該境界部分に設置される。
【００３１】
請求項４によれば、該床版を構成するコンクリートにその固化前に該凸条を差し込んで固化させることにより、該床版上で該端部保護材がずれるのを防止できる。
【００３２】
請求項５によれば、該定着用部材が該壁高欄等の内壁面を形成するコンクリートに埋設された状態となるので、該立上げ部が該壁高欄等と一体化し、該定着用部材が該凹所からずれ出るのを防止できる。
【００３３】
請求項６によれば、該立上げ部は該背面の凸条により壁高欄のコンクリート中に喰いこんでいるので、該立上げ部が該壁高欄等の該内壁面から外れて路面方向へずれ出るのを防止できる。
【００３４】
請求項７によれば、該防水工の該施工部の上端が該庇によって覆われるので、該壁高欄等の表面を流下してきた雨水が該立上げ部と該壁高欄等の対向面間に流入することがなく、該立上げ部と該壁高欄等の一体化を損なうことがない。
【００３５】
請求項８によれば、該壁高欄等の表面を流下してきた雨水が該庇上に流下しても勾配部により路面方向へ導かれ、該立上げ部と該壁高欄等の対向面間に流入することがなく、該立上げ部と該壁高欄等の一体化を損なうことがない。
【００３６】
請求項９によれば、製造上の制約であまり長尺にできない該端部保護材を、接続部材をその長手方向の端部に介在させて、繋げることにより長手方向に延設できる。
【００３７】
請求項１０の構築法によれば、防水工の該施工部の内側面は壁高欄等の内壁面より該壁高欄等の内部へ潜った位置にあるので、舗装機械等は該内壁面に触れても壁高欄等の施工部の内側面に直接触れることはなく、損傷から保護される。
【００３８】
請求項１１によれば、防水工の壁高欄等の施工部の路面側の面は壁高欄等の内壁面より路面側に位置するが、立上げ部には壁高欄等の施工部の上端を越えて路面側に突き出た庇があるので、該庇が該施工部の上端を被覆し、舗装機械等による衝撃をこの庇の張出し端で受けて該施工部を保護する。
【００３９】
請求項１２によれば、該端部保護材は雨水に濡れても錆びないので、長期にわたって供用できる。
【００４０】
請求項１３によれば、床版コンクリートに該凸条の係合溝を削成し、該係合溝にモルタル等の接着材を入れて該凸条を嵌合させ、該接着材を固化させることにより、該床版上で該端部保護材がずれるのを防止できる。
【００４１】
請求項１４によれば、該凸条と該係合溝との係合により、該立上げ部が該壁高欄等の内壁面から外れて該端部保護材が路面方向へずれ出すことがない。
【００４２】
請求項１５によれば、壁高欄等の表面を流下してきた雨水が該庇上に流れ落ちても、該勾配部により路面方向へ導かれ、該立上げ部と該壁高欄等の内壁面間には流れ込まないので、該壁高欄等や床版の劣化を引き起こすことがない。
【００４３】
請求項１６によれば、製造上の制約であまり長尺にできない該端部保護材を、接続部材をその長手方向の端部に介在させて繋げることにより、長手方向に延設できる。
【００４４】
請求項１７の本発明に係る床版防水工の施工部の保護構造の別の構築法によれば、既設の壁高欄等の内壁面に凹所を削成するという面倒な作業は必要なく、壁高欄等の表面を流下する雨水は庇により立上げ部の背面と壁高欄等の内壁面間に滲入するのを阻止されるので、壁高欄等や床版の損壊を未然に防止できる。
【図面の簡単な説明】
【００４５】
図面で、１〜５は新設の場合、６〜９は既設の場合、１０及び１１は端部保護材１を長手方向に接続する各別の例を示す。
【図１】本発明にかかる床版防水工の壁高欄等の施工部の保護構造を、新築の壁高欄に実施した状態を挙げて示す、部分横断面図である。
【図２】端部保護材１の変形を用いて保護構造を構成する過程の部分横断面図である。
【図３】本件保護構造の構成途上の部分横断面図で、端部保護材１を床版上に設置し、型枠５２を配置して壁高欄４を打設した状態である。
【図４】端部保護材１の更なる変形例で、凸条３３を庇３４と別個に構成して凸条３３を庇３４上に固着したものの端面図である。
【図５】端部保護材１の更なる変形例を壁高欄４に設置した状態で示す部分横断面図である。
【図６】既設の床版３と壁高欄４に端部保護材１の凸条２３、３３用の係合溝６１，６２を形成した状態の部分横断面図である。
【図７】図６に示した係合溝６１，６２に端部保護材１の凸条２３、３３を係合させ端部保護材１を境界部分７に配置し、防水工２を床版３と壁高欄４に渡設して基層７１と表層７２を施工した状態の部分横断面図である。
【図８】図４に示したものと同様の端部保護材１を境界部分７に配設し、立上げ部９を釘Ｎで壁高欄４に固定した状態の部分横断面図である。
【図９】既設の壁高欄４に、上端に凸条３３と庇３４を形成した端部保護材１の立上げ部９を添設した状態の部分横断面図である。
【図１０】端部保護材１と接続部材４１の関係を示す斜面図である。
【図１１】接続部材４１の別の例を示す斜面図で、端部保護材の嵌合方向を矢印で示してある。
【発明を実施するための形態】
【００４６】
以下に、本発明にかかる床版防水工の施工部の保護構造及びその構築方法の実施の形態を、壁高欄等として壁高欄４を取り上げ、図面を参照して、説明する。
【００４７】
（請求項１）図１で、１は端部保護材、２は防水工、３は床版、４は壁高欄である。この端部保護材１は床版３と壁高欄４の打継ぎ目５の路面６側の境界部分７に配設されるもので、互いに角度をなして張出する底版部８と立上げ部９を一体に有している。底版部８は床版３上に両者の上面が面一となって位置し、立上げ部９は壁高欄４の内壁面１０に形成された凹所１１に壁高欄４と一体となって収まっている。防水工２は、路面６の路幅方向の端部１２が底版部８を覆い、この端部１２に続く施工部１３が立上げ部９の内側面１４を覆っている。
【００４８】
端部保護材１を床版３と壁高欄４の打継ぎ目５の境界部分７に、底版部８を床版３の上面に配置しかつ立上げ部９を壁高欄４の凹所１１に収容して、配置する。底版部８と床版３、立上げ部９と壁高欄４の各対向面は、例えば接着材を塗布し、あるいは図８に示すように釘Ｎを単独で若しくはこの接着材と共に用いて、一体化される。そして、防水工２を、この底版部８の上面と立上げ部９の内側面１４に渡って施工する。
このように、立上げ部９の内側面１４に施工された防水工２の施工部１３は壁高欄４の凹所１１に収まっているので、舗装作業に使用する舗装機械等が壁高欄４の内壁面１０と接触することはあっても施工部１３と接触することはなく、施工部１３が損傷することはない。
【００４９】
また、端部保護材１の底版部８と立上げ部９は一体なので、床版３と壁高欄４の打継ぎ目５は端部保護材１によって完全に遮断され、路面６の表層７２の表面上を流れ、又は表層７２を浸透して基層７１の上面を流れてきた水が打継ぎ目５に浸透することはない。
【００５０】
（請求項２）端部保護材１は非発錆性素材で構成されている。非発錆性素材としては、例えばステンレス鋼がある。
この場合、端部保護材１は雨水に濡れても錆を生じることがなく、長期にわたって供用できる。  
【００５１】
（請求項３）底版部８は底面２１に定着用部材２２を備えている。
この場合、定着用部材２２が床版３のコンクリートに埋設されることにより、端部保護材１は安定して境界部分７に設置される。
【００５２】
（請求項４）図１及び２で、底版部８は張出端に、立上げ部９側と反対側へ突き出た、床版３と係合する凸条２３を備えている。
この場合、床版３のコンクリートの固化前に凸条２３を差し込んで固化させることにより、床版３上で端部保護材１がずれるのを防止できる。
【００５３】
（請求項５）図１で、立上げ部９は背面３１に定着用部材３２を備えている。
この場合、定着用部材３２が壁高欄４の内壁面１０を形成するコンクリートに埋設された状態となるので、立上げ部９が壁高欄４と一体化し、定着用部材３２がこの凹所１１からずれ出るのを防止できる。
【００５４】
（請求項６）図１、２及び３４で、立上げ部９は背面３１の上端に、壁高欄４と係合する凸条３３を備えている。
この場合、凸条３３が壁高欄４のコンクリート中に喰い込んだ状態となるので、立上げ部９が壁高欄４の内壁面１０からずれ出るのを防げる。
【００５５】
（請求項７）図１〜５で、立上げ部９は上端に内側面１４側へ突き出た庇３４を備えている。
この場合、防水工２の施工部１３の上端が庇３４によって覆われるので、壁高欄４の表面を流下してきた雨水が立上げ部９と壁高欄４の対向面間に流入することがなく、立上げ部９と壁高欄４間の一体化を損なうことがない。
【００５６】
（請求項８）図４及び図５で、庇３４は上面に路面６方向へ下る勾配部３５を備えている。
この場合、壁高欄４の表面を流下してきた雨水が庇３４上に流下しても勾配部３５により路面６方向へ導かれ、立上げ部９と施工部１３間に流入することがなく、立上げ部９と施工部１３の一体化を損なうことがない。
【００５７】
（請求項９）図１０及び図１１で、端部保護材１は、自身の横断面外形に密接に嵌合する横断面内形を有する接続部材４１をその長手方向の端部に介在させて、長手方向に延設自在となっている。
【００５８】
この場合、端部保護材１自身は製造上の制約であまり長尺にできないが、長尺の壁高欄の場合は端部保護材１を接続部材４１により繋ぎ合せて使用することで、対応が可能となる。図１０では接続部材４１に調節用長孔７４を設けて端部保護材１の一端に取り付け、接続する端部保護材１の他端に突起７３を設け、端部保護材１を接続部材４１に嵌め込んで、突起７３を内側から調節用長孔７４に係合させる。道路がカーブしているところでの対応がし易い。図１１のように、接続部材４１を弾性材で構成し、端部保護材１を圧嵌してもよい。
【００５９】
（請求項１０）図１〜図５を参照して、本発明に係る床版防水工の壁高欄等の施工部の保護構造の構築法は次の通りである。互いに角度をなして張出する底版部８と立上げ部９を一体に有する端部保護材１を、床版３と壁高欄４の打継ぎ目５の路面６側の境界部分７に、底版部８をまだ固化していない床版３上に両者の上面を面一として、また立上げ部９を壁高欄４の位置内にそれぞれ配置して、設置する。路肩端部５１に型枠５２を、立上げ部９の内側面１４と型枠５２の間に空隙５３を保って、配置する。この空隙５３は面木５５を型枠５２と立上げ部９間に介在させて確保される。型枠５２内にコンクリート５４を打設して壁高欄４を形成する。そして、型枠５２を外し、防水工２を床版３の上面に施し、これに続いて立上げ部７の内側面１４にも施して施工部１３とする。そして、通常のように、防水工２の上面に基層７１、表層７２が施される。
【００６０】
この場合、防水工２の施工部１３の路面６側に向いている面は、凹所１１内にあって壁高欄４の内壁面１０から凹所１１内に潜った位置にあるので、舗装機械等が壁高欄４の内壁面１０に接触しても防水工２の施工部１３に触れることはなく、損傷を受けない。床版３と壁高欄４の打継ぎ目５は防水工２及び端部保護部材１によって遮断されるので、漏水が打継ぎ目５を通って外部に漏れ出ることはない。
【００６１】
（請求項１１）図６〜図９で、本発明に係る床版防水工の壁高欄等の施工部の保護構造の別の態様は次の通りである。即ち、端部保護材１と防水工２を包含している。この端部保護材１は床版３と壁高欄４の打継ぎ目５の路面６側の境界部分７に配設されるもので互いに角度をなして張出する底版部８と立上げ部９を一体に有する。底版部８は床版３上に位置し、立上げ部９は上端に路面６側へ突き出た庇３４を備え、背面３１で壁高欄４の内壁面１０に添設されている。そして、防水工２は、路面６の路幅方向の端部１２が底版部８を覆い、端部１２に続く施工部１３が立上げ部９の内側面１４に添設されて、その上端部が庇３４で庇護されている。
【００６２】
この形態は、壁高欄４に凹所１１を設けないので、既設の壁高欄を対象とするのに適している。端部保護材１の立上げ部９は背面３１が既設の壁高欄４の内壁面１０と相対し、防水工２の施工部１３の路面６側の面は壁高欄４の内壁面１０より路面６側に位置する。このままでは、施工部１３が舗装機械等による衝撃を直に受けることになるが、立上げ部９の上端には施工部１３の上端を越えて路面６側に突き出た庇３４があるので、この庇３４が衝撃を代わりに受け、施工部を保護する。
【００６３】
（請求項１２）端部保護材１は非発錆性素材で構成されている。非発錆性素材としては、例えばステンレス鋼がある。
この場合、端部保護材１は雨水に濡れても錆びないので、長期にわたって供用できる。
【００６４】
（請求項１３）底版部８は張出端に床版３に形成される係合溝６１と係合する凸条２３を備えている。
この場合、床版コンクリートに凸条２３の係合溝６１を削成し、この係合溝６１にモルタル等の接着材を入れて凸条２３を係合させ、この接着材を固化させることにより、床版３上で端部保護材１がずれるのを防止できる。
【００６５】
（請求項１４）立上げ部９は張出端に壁高欄４に形成される係合溝６２と係合する凸条３３を備えている。
この場合、係合溝６２にモルタル等の接着剤を充填して凸条３３を係合させ、接着剤が硬化すれば立上げ部９が壁高欄４の内壁面１０に密接し、立上げ部９が壁高欄４の内壁面１０から外れて端部保護材１が路面６方向へずれ出すことがない。
【００６６】
（請求項１５）庇３４は上面に路面６方向へ下りの勾配部３５を備えている。
この場合、壁高欄４の表面を流下してきた雨水が庇３４上に流れ落ちても、勾配部３５により路面６方向へ導かれ、立上げ部９と壁高欄４の内壁面１０間には流れ込まないので、壁高欄４や床版３の劣化を引き起こすことがない。
【００６７】
（請求項１６）端部保護材１は、自身の横断面外形に密接に嵌合する横断面内形を有する接続部材４１をその長手方向の端部に介在させて、長手方向に延設自在となっている。  
この場合、製造上の制約であまり長尺にできない端部保護材１を、接続部材４１で繋げることにより長手方向に延設できる。
【００６８】
（請求項１７）図６〜図９を参照して、本発明に係る床版防水工の壁高欄等の施工部の保護構造の別の構築法は次の通りである。端部保護材１は互いに角度をなして張出する底版部８と立上げ部９を一体に有しかつ立上げ部９の上端に路面６側へ突き出た庇３４を備えている。この端部保護材１を、床版３と壁高欄４の打継ぎ目５の路面６側の境界部分７に、底版部８をこの床版３上に、また立上げ部９を壁高欄４の内壁面１０と対向させて、設置する。そして、防水工２を底版部８の上面と立上げ部７の内側面１４を被覆して渡設する。
この場合、既設の壁高欄４の内壁面１０に凹所１１を削成するという面倒な作業は必要なく、壁高欄４の表面を流下する雨水は庇３４により立上げ部９の背面３１と壁高欄４の内壁面１０間に浸入するのを阻止されるので、壁高欄４や床版３の損壊を未然に防止できる。
【符号の説明】
【００６９】
１        端部保護材
２        防水工
３        床版
４        壁高欄
５        打継ぎ目
６        路面
７        境界部分
８        底版部
９        立上げ部
１０      内壁面
１１      凹所
１２      端部
１３      施工部
１４      内側面
２１      底面
２２      定着用部材
２３      凸条
３１      背面
３２      定着用部材
３３      凸条
３４      庇
３５      勾配部
４１      接続部材
５１      路肩端部
５２      型枠
５３      空隙
５４      コンクリート
５５      面木
Ｎ        釘
６１      係合溝
６２      係合溝
７１      基層
７２      表層
７３      突起
７４      調節用長孔
【図１】
0005886076.tif 000002
【図２】
0005886076.tif 000003
【図３】
0005886076.tif 000004
【図４】
0005886076.tif 000005
【図５】
0005886076.tif 000006
【図６】
0005886076.tif 000007
【図７】
0005886076.tif 000008
【図８】
0005886076.tif 000009
【図９】
0005886076.tif 000010
【図１０】
0005886076.tif 000011
【図１１】
0005886076.tif 000012